(57)【要約】      （修正有）【課題】仕様の異なるメモリカードを挿入した場合、対応しない他の接続端子が間違って接触しないメモリカード用コネクタを提供する。【解決手段】内部に仕様の異なるメモリカードＡ１０，Ａ２０，Ｂ１０に対応する複数種の接続端子列Ａ１，Ａ２，Ａ３，Ａ４，Ｂ１を設けてなるメモリカード用コネクタの該接続端子列の一に読み取り防止ブロック２によってなる誤動作防止手段を設ける。該読み取り防止ブロックは、一端が回動自在に支持され、自由端となる他端が接続端子に当接するように設けられるとともに、上面に段差面を形成し、該段差面に該接続端子列を形成するそれぞれの接続端子の一端の接触端が貫通する複数の貫通溝２３を形成するとともに、自由端の端縁部に押し圧部２４を設け、該押し圧部と該貫通溝との間を挿入されるメモリカードが当止する当止部２５とする。【選択図】図５
0003107547.tif 000002
【実用新案登録請求の範囲】
【請求項１】
内部に仕様の異なるメモリカードに対応する複数種の接続端子列を設けてなるメモリカード用コネクタであって、該接続端子列の一に読み取り防止ブロックによってなる誤動作防止手段を設けてなり、
該読み取り防止ブロックは、一端が回動自在に支持され、自由端となる他端が接続端子に当接するように設けられるとともに、上面に段差面を形成し、該段差面に該接続端子列を形成するそれぞれの接続端子の接触端が貫通する複数の貫通溝を形成するとともに、自由端の端縁部に押し圧部設け、該押し圧部と該貫通溝との間を挿入されるメモリカードが当止する当止部とすることを特徴とするメモリカード用コネクタ。
【請求項２】
前記仕様の異なるメモリカードに対応する複数種の接続端子列が上下に対応するように設けられ、且つ上下の接続端子列の接触端がそれぞれ前後に位置するように設けられ、該読み取り防止ブロックが最前列の接続端子列に当接し、かつ該接続端子に付勢されるように設けることを特徴とする請求項１に記載のメモリカード用コネクタ。
【考案の詳細な説明】
【技術分野】
【０００１】
この考案は、メモリカード用コネクタに関し、特に仕様の異なる複数種のメモリカードを共用する一つのスロットに挿入するメモリカード用コネクタに関する。
【背景技術】
【０００２】
フラッシュメモリカードは、メモリカードのメーカーが、それぞれ異なる仕様のメモリカードに係る技術を発展させてきたため、これらを読み取るためのインタフェースも異なる仕様に合わせたコネクタによって需要に応えるようにしている。よって、市場において多種類のメモリカードを挿入することのできる読み取り装置が出現した。これはメモリカードの仕様がそれぞれ異なることによって起きる使用上の不便を改善することを目的とする。
【０００３】
前記多種類のメモリカードを挿入できる読み取り装置は、装置全体の体積を縮小することを目的として、１つのスロットを二種類以上の異なる仕様のメモリカードが共用できるように設計する。但し、１つのスロットを共用する方式は、異なる仕様のメモリカードをどのように判別して挿入するかという問題があり、これを如何にして改善するかが課題となっている。
【０００４】
メモリカードの異なる仕様は、外形、厚さ、幅、長さ、及びコンタクト端子の特徴などによって判別できる。従来のメモリカード用コネクタは、一般に挿入するレールの設計、もしくは接続端子の数量の差異、及び起動端子によって異なる挿入位置を判別する。しかしながら、１つのスロットで複数種のメモリカードに対応させるために、接続端子往々にして上下に重ね合せる方式を採用する。係る構造は、仮に異なる種類のメモリカードの厚さが同一であるか、もしくは近いものであった場合、挿入の過程において接続端子と異なるメモリカードとが間違って接触する。メモリカード自身の電源は、ホスト端が提供する。このため、複数の接続端子には電流を帯びているものが含まれ、接続端子と異なるメモリカードとが間違って接触すると、メモリカード、もしくはホスト端の短絡と破損を招くことになる。
【考案の開示】
【考案が解決しようとする課題】
【０００５】
上述するとおり、複数種のメモリカードを挿入する従来のメモリカード用コネクタは、正確な挿入位置の判別が難しく、かつ接続端子に間違ったメモリカードが容易に接触し、短絡が発生して破損を招くという欠点がある。これら欠点を以下にして改善するかが課題となる。
【０００６】
そこで、本考案は複数の仕様の異なるメモリカード用コネクタを挿入でき、かつ共用する同一のスロットに異なる仕様のメモリカードを挿入した場合、対応しない他の接続端子が間違って接触することのないメモリカード用コネクタを提供することを課題とする。
【課題を解決するための手段】
【０００７】
そこで本考案者は、従来の技術に鑑み鋭意研究を重ねた結果、コネクタ内に、挿入するメモリカードに対応しない接続端子の接触端が間違って接触することを防ぐ誤動作防止手段を設けてなり、該メモリカード用コネクタ内の基板に設ける取付座と、該取付座に回動自在に設ける読み取り防止ブロックとによって該誤動作防止手段を構成するメモリカード用コネクタの構造と、その製造方法によって課題を解決できる点に着眼し、係る知見に基づき本考案を完成させた。
以下、この考案について具体的に説明する。
【０００８】
請求項１に記載するメモリカード用コネクタは、内部に仕様の異なるメモリカードに対応する複数種の接続端子列を設けてなるメモリカード用コネクタであって、該接続端子列の一に読み取り防止ブロックによってなる誤動作防止手段を設けてなり、
該読み取り防止ブロックは、一端が回動自在に支持され、自由端となる他端が接続端子に当接するように設けられるとともに、上面に段差面を形成し、該段差面に該接続端子列を形成するそれぞれの接続端子の接触端が貫通する複数の貫通溝を形成するとともに、自由端の端縁部に押し圧部設け、該押し圧部と該貫通溝との間を挿入されるメモリカードが当止する当止部とする。
【０００９】
請求項２に記載するメモリカード用コネクタは、請求項１における仕様の異なるメモリカードに対応する複数種の接続端子列が上下に対応するように設けられ、且つ上下の接続端子列の接触端がそれぞれ前後に位置するように設けられ、該読み取り防止ブロックが最前列の接続端子列に当接し、かつ該接続端子に付勢されるように設ける。
【考案の効果】
【００１０】
本考案のメモリカード用コネクタは、複数の仕様の異なるメモリカード用コネクタを挿入でき、かつ共用する同一のスロットに異なる仕様のメモリカードを挿入した場合、接続端子と間違って接触することを防ぐとともに、他の接触しない接続端子の接触端を磨耗させ、破損することを防ぐという利点がある。
【００１１】
また、本考案のメモリカード用コネクタは、コネクタ自体の体積を縮小することができるという利点がある。
【考案を実施するための最良の形態】
【００１２】
この考案は、仕様の異なる複数種のメモリカードを共用する一つのスロットに挿入するメモリカード用コネクタを提供するものであって、コネクタ内に挿入するメモリカードに対応しない他の接続端子の接触端が接触することを防ぐ誤動作防止手段を設けて構成する。
係る構成のメモリカード用コネクタについて、その構造と特徴を詳述するために具体的な実施例を挙げ、以下に説明する。
【実施例】
【００１３】
図１、２に開示するように、この考案におけるメモリカード読み取り座１は、少なくとも１以上のソケット部１３と、基板１２と、下ソケット部１３と、複数の起動端子及び接続端子列を構成する複数の接続端子とを含んでなる。
【００１４】
該基板１２は、上面に上ソケット部１１を設けてなる。上ソケット部１１は正面にスロット１１０を形成し、該スロット１１０は内部側面に段差を形成して段差面１１１とし、同一のスロット１１０内に異なる仕様のメモリカードを挿入できるように構成する。また、スロット１１０の底面には接続端子を貫通させてメモリカードに接触させるための複数の貫通溝１１２を形成する。
【００１５】
基板１２に溶着する金属製の端子には接続端子と起動端子とが含まれる。接続端子は、メモリカードに接触し、電気的に接続してデータの伝送を行う機能を有する。また、起動端子は異なる仕様のメモリカードにそれぞれ対応し、これらを挿入した場合の起動と制御を行う。
【００１６】
接続端子Ａ１は、異なる仕様のそれぞれ異なる必要に応じるために、基板１２の端縁部に設けられる。また、起動端子Ａ１１は、側面に近接した位置に設けられ、メモリカードＡ１０を挿入した場合にこれを制御して起動させる。接続端子Ａ１はプレス加工などによって段差を形成し、且つ一端を溶着部とし、他端を湾曲させることによって隆起させ、メモリカードＡ１０に当接する接触端Ａ１２とする（図５参照）。
【００１７】
別途基板１２上の接続端子Ａ１後方の位置には、接続端子Ａ２と、これに対応する起動端子Ａ２１を設け、異なる仕様のメモリカードＡ２０の挿入、接続に供する（図５参照）。該接続端子Ａ２は一端を直角に湾曲させ、自由端となる他端は水平に設け、且つ端縁部を隆起するように湾曲させて弾性による付勢力を持たせる。隆起させた端縁部はメモリカードＡ２０に接触する接触端Ａ２２とする。また、接続端子Ａ２の後方には接続端子Ａ３と、接続端子Ａ４とをそれぞれ重なり合う方式で順に設け、且つ、それぞれ側面に対応する起動端子Ａ３１、Ａ４１を設ける。接続端子Ａ３、Ａ４の一端は接触端Ａ３２、Ａ４２とし、異なる仕様のメモリカードＡ３０、Ａ４０を挿入した場合の接続に供する（図６参照）。
【００１８】
基板１２の底面には接続端子Ｂ１を溶着する。接続端子Ｂ１は下ソケット部１３内に設けられ、下ソケット部１３の両内側面にはそれぞれ対向する位置にガイド溝１３０を形成し、メモリカードＢ１０の挿入に供する（図５参照）。
【００１９】
接続端子Ａ２とＡ３は、それぞれ上下対応する位置に設けられ、且つ接続端子Ａ２の接触端Ａ２２は接続端子Ａ３の接触端Ａ３２よりも前方に位置し、異なる仕様のメモリカードの接続する位置が分かれるように構成する。接続端子Ａ２とＡ３は、メモリカードを挿入する同一の軌道上に設けられる。よって後方の接続端子Ａ３に接続するメモリカードＡ３０を挿入した場合、メモリカードＡ３０は、予め接続端子Ａ２０の接触端Ａ２２に接触する。メモリカードの電源はホスト端から提供されるため、間違って接触した場合メモリカードか、もしくはホスト端に短絡が発生し、損傷を招くことになる。よって図３，４に開示するようにこの考案においては、接続端子Ａ２の接触端Ａ２２に誤動作防止手段を設ける。該誤動作防止手段は、基板１２上に設ける取付座１４を介して回動自在に設ける読み取り防止ブロック２によってなる。
【００２０】
該読み取り防止ブロック２は、一端の両側縁部に支軸２１、２１’をそれぞれ一体に形成し、該支軸２１、２１’を取付座１４に嵌挿して、基板１２上に回動自在に設ける。また、読み取り防止ブロック２には段差面２２を形成し、該段差面２２に複数の貫通溝２３を形成するとともに、端縁部に押し圧部２４を設け該押し圧部２４と貫通溝２３との間を当止部２５とし、該当止部２５によって挿入されるメモリカードＡ２０を位置決めする。貫通溝２３は接続端子Ａ２と同数形成する。図５に開示するように、接続端子Ａ２の接触端Ａ２２は該貫通溝２３を貫通する。接続端子Ａ２は金属材によってなり、弾性を有する。よって、付勢力で読み取り防止ブロック２の一端が上方に上がり、メモリカードＡ２０を挿入した場合に、メモリカードＡ２０を位置決めする。
【００２１】
図６に開示するように異なる仕様のメモリカードＡ３０を挿入した場合、メモリカードＡ３０は厚さと長さがメモリカードＡ２０より大きいため、読み取り防止ブロック２を下方に押圧する。この場合読み取り防止ブロック２は支軸２１、２１’を支点として取付座１４に回動自在に設けられる。このため、読み取り防止ブロック２が下方に押圧されると、押し圧部２４が下方に押し圧され、接続端子Ａ２の接触端Ａ２２を押し圧して、貫通溝２２内に至らせる。このため、メモリカードＡ３０と接続端子Ａ２とが間違って接触することを防ぎ、また、メモリカードＡ３０を挿入する過程において、接触端Ａ２２を磨耗して損傷を与えることを防ぐ。
【００２２】
誤動作防止手段を設ける構造は同一のスロットを複数の異なる仕様のメモリカードで共用する構造に応用することができ、かかる構造によってメモリカード用コネクタの体積を縮小することができる。よって本考案は複数種の仕様の異なるメモリカードを挿入するメモリカード用コネクタに応用することができる。
【００２３】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の特許請求の範囲に属するものとする。
【図面の簡単な説明】
【００２４】
【図１】この考案によるメモリカード用コネクタの外観を示した斜視図である。
【図２】図１に開示するメモリカード用コネクタの分解図である。
【図３】この考案における読み取り防止ブロックの斜視図である。
【図４】この考案における基板に接続端子などの部材を設けた状態を示した斜視図である。
【図５】この考案によるメモリカード用コネクタにメモリカードを挿入した状態を示した断面説明図である。
【図６】この考案によるメモリカード用コネクタに異なる仕様のメモリカードを挿入した状態を示した断面説明図である。
【符号の説明】
【００２５】
１                     メモリカード読み取り座
1１                    上ソケット部
１１０                            スロット
１１１                            段差面
１１２                            貫通溝
１２                  基板
１３                  下ソケット部
１３０                            ガイド溝
１４                  取付座
Ａ１，Ａ２，Ａ３，Ａ４，Ｂ１                  接続端子
Ａ１０，Ａ２０，Ａ３０，Ａ４０，Ｂ１０              メモリカード
Ａ１１，Ａ２１，Ａ３１，Ａ４１，                         起動端子
Ａ１２，Ａ２２，Ａ３２，Ａ４２，                         接触端
２                     読み取り防止ブロック
２１、２１’    支軸
２２                  段差面
２３                  貫通溝
２４                  押し圧部
２５                  当止部
【図１】
0003107547.tif 000003
【図２】
0003107547.tif 000004
【図３】
0003107547.tif 000005
【図４】
0003107547.tif 000006
【図５】
0003107547.tif 000007
【図６】
0003107547.tif 000008